(57)【要約】      （修正有）【課題】上に載せた用紙等に書き込みを行う場合の支台としての機能を有するのみでなく、学童の記憶力を向上せしめることができ、有用性を高めることができる下敷きを提供する。【解決手段】暗記カード１２を移動可能に保持しうる収納部１３を有し、上記暗記カードは暗記事項表示部１４を隠顕しうるように上記収納部に保持されている。上記収納部は表面シート部１５と裏面シート部との間に形成され、上記表面シート部には、上記収納部に保持された上記暗記カードにおける上記暗記事項表示部を目視しうるように形成された透視部１７と、上記暗記事項表示部を隠蔽しうるように形成された非透視部１８とが設けられている。上記暗記カードは、上記暗記事項表示部と空白部９とを有し、上記暗記事項表示部が上記表面シート部における上記透視部に対応して位置している状態では、上記空白部は上記非透視部に対応して位置する。【選択図】図４
0003112224.tif 000002
【実用新案登録請求の範囲】
【請求項１】
暗記カードを移動可能に保持しうる収納部を有し、上記暗記カードは暗記事項表示部を隠顕しうるように上記収納部に保持されていることを特徴とする下敷き。
【請求項２】
上記収納部は表面シート部と裏面シート部との間に形成され、上記表面シート部には、上記収納部に保持された上記暗記カードにおける上記暗記事項表示部を目視しうるように形成された透視部と、上記暗記事項表示部を隠蔽しうるように形成された非透視部とが設けられていることを特徴とする請求項１記載の下敷き。
【請求項３】
上記暗記カードは、上記暗記事項表示部と空白部とを有し、上記暗記事項表示部が上記表面シート部における上記透視部に対応して位置している状態では、上記空白部は上記非透視部に対応して位置すると共に、上記暗記カードが移動して、上記暗記事項表示部が上記非透視部に対応して位置する場合は、上記空白部は上記透視部に対応して位置するように形成されていることを特徴とする請求項２記載の下敷き。
【請求項４】
上記表面シート部における上記透視部は透明に形成され、上記非透視部には着色が施されていることを特徴とする請求項２又は３記載の下敷き。
【請求項５】
上記表面シート部における上記透視部と上記非透視部は平行な同幅の帯状に形成され、全体としてストライプ模様を形成するように交互に配置されていることを特徴とする請求項２〜４記載の下敷き。
【請求項６】
上記暗記カードにおける上記暗記事項表示部と上記空白部は、上記表面シート部における上記透視部及び上記非透視部と同幅を有して、平行な帯状に形成され、全体としてストライプ模様を形成するように交互に配置されると共に、上記空白部には着色が施されていることを特徴とする請求項５記載の下敷き。
【請求項７】
上記収納部は、方形の上記表面シート部と裏面シート部との間に形成される空隙部に設けられると共に、上記暗記カードを出し入れ可能な開口部が一辺部に形成され、上記開口部は上記表面シート部と上記暗記カードにおける上記ストライプ模様と平行な一辺部に配置されていることを特徴とする請求項５及び６記載の下敷き。
【考案の詳細な説明】
【技術分野】
【０００１】
本考案は下敷きに係り、特に、暗記具としても利用可能な有用性の高い下敷きに関する。
【背景技術】
【０００２】
従来の一般的な下敷きは、一枚のプラスチック製のシート状部材から成り、上記シート状部材の上にノートの用紙等を載置して、その用紙等に書き込みを行う場合の支台としての機能を有しているのみであった。
【０００３】
また、従来の下敷きには、上記シート状部材の表面にカレンダー等が印刷されているものも存在するが、それら印刷物はメモ書き等と同様に内容を見て確認するためのものであり、その印刷物を利用して下敷きを使用する学童の記憶能力を高めるものではなかった。
【０００４】
下敷きは学童が毎日、学校、塾及び家庭等で使用するものであり、極めて使用頻度が高く、その使用時に学童の能力向上に役立てることができれば、下敷きの有用性を高めることができる。
【０００５】
しかしながら、従来の下敷きには、学童の記憶能力を高める工夫が施されているものはなかった。
【０００６】
また、本出願人は、学童の記憶能力を高めるために役立つ下敷きについて先行技術を調査したが、関連する先行技術文献を見出すことはできなかった。
【考案の開示】
【考案が解決しようとする課題】
【０００７】
そこで本考案の課題は、上に載せた用紙等に書き込みを行う場合の支台としての機能を有するのみでなく、学童の記憶力を向上せしめることができ、有用性を高めることができる下敷きを提供することにある。
【課題を解決するための手段】
【０００８】
上記課題を解決するために、請求項１記載の本考案に係る下敷きは、暗記カードを移動可能に保持しうる収納部を有し、上記暗記カードは暗記事項表示部を隠顕しうるように上記収納部に保持されていることを特徴とする。
【０００９】
即ち、請求項１記載の本考案に係る下敷きにあっては、上記収納部において保持された上記暗記カードが、上記収納部内において移動することができ、上記暗記カードは上記のように上記保持部で移動して位置を変化させることができる。また、上記暗記カードには暗記事項表示部が設けられていて、上記暗記カードは上記のように上記保持部において移動して位置を変化させることにより、上記暗記事項表示部を隠蔽したり露見させることができる。
【００１０】
また、請求項２記載の本考案に係る下敷きは、上記収納部が表面シート部と裏面シート部との間に形成され、上記表面シート部には、上記収納部に保持された上記暗記カードにおける上記暗記事項表示部を目視しうるように形成された透視部と、上記暗記事項表示部を隠蔽しうるように形成された非透視部とが設けられていることを特徴とする。
【００１１】
即ち、請求項２記載の本考案に係る下敷きにあっては、上記表面シート部と裏面シート部との間に上記収納部が形成される。従って、上記暗記カードは上記表面シート部と裏面シート部との間に挟まれた状態で保持される。また、上記表面シート部には、透視部と非透視部とが設けられていて、上記収納部に保持された上記暗記カードは上記暗記事項表示部を上記透視部に位置させれば内容を目視することができ、上記暗記事項表示部を上記非透視部に位置させれば内容を目視することができなくなる。
【００１２】
また、請求項３記載の本考案に係る下敷きは、上記暗記カードが、上記暗記事項表示部と空白部とを有し、上記暗記事項表示部が上記表面シート部における上記透視部に対応して位置している状態では、上記空白部は上記非透視部に対応して位置すると共に、上記暗記カードが移動して、上記暗記事項表示部が上記非透視部に対応して位置する場合は、上記空白部は上記透視部に対応して位置するように形成されていることを特徴とする。
【００１３】
即ち、請求項３記載の本考案に係る下敷きにあっては、上記暗記カードに上記暗記事項表示部と空白部とが設けられている。上記空白部とは、暗記事項が表示されていない箇所を意味する。そして、上記暗記事項表示部が上記表面シート部における上記透視部に対応して位置することにより、上記暗記事項を目視できる状態では、上記空白部は上記非透視部に対応して位置することにより隠蔽される。また、上記暗記カードが移動して、上記暗記事項表示部が上記非透視部に対応して位置することにより暗記事項が隠蔽された状態では、上記空白部が上記透視部に対応して位置するが、上記のように上記空白部には暗記事項が表示されていないので、上記表面シート部には全く暗記事項が表示されない状態となる。
【００１４】
また、請求項４記載の本考案に係る下敷きは、上記表面シート部における上記透視部が透明に形成され、上記非透視部には着色が施されていることを特徴とする。
【００１５】
即ち、請求項４記載の本考案に係る下敷きにあっては、上記表面シート部における上記透視部が透明に形成され、上記非透視部には着色が施され、上記表面シート部は透明部と着色部とに明確に区別されていることから、上記透視部と非透視部とを明確に認識することができるとともに、上記透明部と上記着色部とを組み合わせることにより上記表面シート部に模様を表現することができる。
【００１６】
また、請求項５記載の本考案に係る下敷きは、上記表面シート部における上記透視部と上記非透視部は平行な同幅の帯状に形成され、全体としてストライプ模様を形成するように交互に配置されていることを特徴とする。
【００１７】
即ち、請求項５記載の本考案に係る下敷きにあっては、上記透視部と上記非透視部が同幅の帯状に形成され、平行かつ交互に配置されることにより、上記表面シート部には全体にストライプ模様が形成されていることから、上記表面シート部は上記透視部と上記非透視部を利用して興趣のあるデザインになすことができる。
【００１８】
また、請求項６記載の本考案に係る下敷きは、上記暗記カードにおける上記暗記事項表示部と上記空白部は、上記表面シート部における上記透視部及び上記非透視部と同幅を有して、平行な帯状に形成され、全体としてストライプ模様を形成するように交互に配置されると共に、上記空白部には着色が施されていることを特徴とする。
【００１９】
即ち、請求項６記載の本考案に係る下敷きにあっては、上記暗記カードにおける上記暗記事項表示部と上記空白部は、上記表面シート部における上記透視部及び上記非透視部と同幅を有して、平行な帯状に形成されていることから、上記暗記カードを上記暗記事項表示部や上記空白部の幅と同一距離だけ幅方向に移動させるだけで、上記暗記事項表示部を上記表面シート部における上記透視部又は上記非透視部に移動させて位置させることができる。
また、上記暗記カードも全体としてストライプ模様が形成され、かつ上記空白部には着色が施されていることから、上記暗記カードも興趣のあるデザインになすことができる。
【００２０】
また、請求項７記載の本考案に係る下敷きは、上記収納部が、方形の上記表面シート部と裏面シート部との間に形成される空隙部に設けられると共に、上記暗記カードを出し入れ可能な開口部が一辺部に形成され、上記開口部は上記表面シート部と上記暗記カードにおける上記ストライプ模様と平行な一辺部に配置されていることを特徴とする。
【００２１】
即ち、請求項７記載の本考案に係る下敷きにあっては、方形の上記表面シート部と裏面シート部とを、間に空隙部が形成されるように重ね合わせるだけで、上記収納部を容易に形成することができる。
また、上記暗記カードを出し入れ可能な開口部が一辺部に形成され、上記開口部は上記表面シート部と上記暗記カードにおける上記ストライプ模様と平行な一辺部に配置されていることから、上記暗記カードを上記開口部において出し入れするように移動させれば、上記暗記カードにおける上記暗記事項表示部を容易かつ迅速に上記表面シート部における上記透視部又は上記非透視部に対応させて位置させることにより隠顕することができる。
【考案の効果】
【００２２】
請求項１記載の本考案に係る下敷きは、暗記カードを移動可能に保持しうる収納部を有し、上記暗記カードは暗記事項表示部を隠顕しうるように上記収納部に保持されていることから、上記暗記カードの暗記事項表示部を隠すことにより暗記事項を記憶し、上記暗記事項表示部を顕わすことにより記憶した上記暗記事項を確認することができる。
従って、本考案に係る下敷きは、上に載せる用紙等の支え台としての機能のみでなく、暗記具としても使用することができるので有用性が増大する。
【００２３】
また、請求項２記載の本考案に係る下敷きは、上記収納部が表面シート部と裏面シート部との間に形成されることから、上記暗記カードは上記収納部における上記表面シート部と上記裏面シート部との間に挟まれて脱落が防止される。
また、上記表面シート部には、上記収納部に保持された上記暗記カードにおける上記暗記事項表示部を目視しうるように形成された透視部と、上記暗記事項表示部を隠蔽しうるように形成された非透視部とが設けられていることから、上記暗記事項表示部を上記透視部に対応して位置させるだけで容易に暗記事項を目視することができると共に、上記暗記事項表示部を上記非透視部に対応して位置させるだけで上記暗記事項表示部を容易に隠すことができる。
【００２４】
また、請求項３記載の本考案に係る下敷きは、上記暗記カードが、上記暗記事項表示部と空白部とを有し、上記暗記事項表示部が上記表面シート部における上記透視部に対応して位置している状態では、上記空白部は上記非透視部に対応して位置すると共に、上記暗記カードが移動して、上記暗記事項表示部が上記非透視部に対応して位置する場合は、上記空白部は上記透視部に対応して位置するように形成されていることから、上記暗記事項表示部を上記非透視部により隠蔽した場合に、上記空白部が上記透明部に現れて、上記暗記事項表示部を全く目にすることができない状態になるので、暗記に集中することができ、暗記による学習成果を高めることができる。
【００２５】
また、請求項４記載の本考案に係る下敷きは、上記表面シート部における上記透視部は透明に形成され、上記非透視部には着色が施されていることから、上記透視部に上記暗記カードの上記暗記事項表示部を対応させて位置させた場合に、上記暗記事項表示部を明確に目視することができ、又、上記非透視部に上記暗記カードの上記暗記事項表示部を対応させて位置させた場合は、上記暗記事項表示部を確実に隠蔽することができる。
また、上記表面シート部における上記透視部と上記非透視部は、透明と着色とにより２色に色分けされた模様を形成することになるので装飾性が向上する。
【００２６】
また、請求項５記載の本考案に係る下敷きは、上記表面シート部における上記透視部と上記非透視部は平行な同幅の帯状に形成され、全体としてストライプ模様を形成するように交互に配置されていることから、上記表面シート部は全体にストライプ模様が形成されて装飾性が向上するので、外観の見栄えが良好になる。
【００２７】
また、請求項６記載の本考案に係る下敷きは、上記暗記カードにおける上記暗記事項表示部と上記空白部は、上記表面シート部における上記透視部及び上記非透視部と同幅を有して、平行な帯状に形成され、全体としてストライプ模様を形成するように交互に配置されることにより、上記表面シート部と同様の構成になるので、上記暗記カードにおける上記暗記事項表示部と上記空白部を、上記表面シート部における上記透視部及び上記非透視部に対し対応させやすくなり、上記暗記事項表示部と上記空白部を容易に切り換えることができる。
また、上記暗記カードにおける上記空白部には着色が施されていることから、上記空白部を上記透視部に位置させた場合に、上記表面シート部は上記非透視部の着色と上記空白部の着色によりツートンカラーに色分けされたストライプ模様になるので装飾性が向上する。
【００２８】
また、請求項７記載の本考案に係る下敷きは、上記収納部は、方形の上記表面シート部と裏面シート部との間に形成される空隙部に設けられると共に、上記暗記カードを出し入れ可能な開口部が一辺部に形成され、上記開口部は上記表面シート部と上記暗記カードにおける上記ストライプ模様と平行な一辺部に配置されていることから、上記開口部において上記暗記カードを出し入れする操作により、容易に、上記暗記事項表示部を上記透視部に移動させて目視可能にしたり、上記非透視部に移動させて隠蔽することができる。
【考案を実施するための最良の形態】
【００２９】
以下、図面を用いて本考案の実施の形態について説明する。
本実施の形態に係る下敷き１１は、図１〜図４に示すように、暗記カード１２を移動可能に保持しうる収納部１３を有し、上記暗記カード１２は暗記事項表示部１４を隠顕しうるように上記収納部１３に保持されている。
また、上記収納部１３は、図３に示すように、表面シート部１５と裏面シート部１６との間に形成され、上記表面シート部１５には、図１に示すように、上記収納部１３に保持された上記暗記カード１２における上記暗記事項表示部１４を目視しうるように形成された透視部１７と、上記暗記事項表示部１４を隠蔽しうるように形成された非透視部１８とが設けられている。
また、上記暗記カード１２は、図１に示すように、上記暗記事項表示部１４と空白部１９とを有し、図４に示すように、上記暗記事項表示部１４が上記表面シート部１５における上記透視部１７に対応して位置している状態では、上記空白部１９は上記非透視部１８に対応して位置すると共に、上記暗記カード１２が移動して、図２に示すように、上記暗記事項表示部１４が上記非透視部１８に対応して位置する場合は、上記空白部１９は上記透視部１７に対応して位置するように形成されている。
また、図１に示すように、上記表面シート部１５における上記透視部１７は透明に形成され、上記非透視部１８には着色が施されている。
また、図１に示すように、上記表面シート部１５における上記透視部１７と上記非透視部１８は平行な同幅の帯状に形成され、全体としてストライプ模様を形成するように交互に配置されている。
また、図１に示すように、上記暗記カード１２における上記暗記事項表示部１４と上記空白部１９は、上記表面シート部１５における上記透視部１７及び上記非透視部１８と同幅を有して、平行な帯状に形成され、全体としてストライプ模様を形成するように交互に配置されると共に、上記空白部１９には着色が施されている。
また、上記収納部１３は、図３に示すように、方形の上記表面シート部１５と裏面シート部１６との間に形成される空隙部２０に設けられると共に、図１及び図３に示すように、上記暗記カード１２を出し入れ可能な開口部２１が一辺部に形成され、上記開口部２１は上記表面シート部１５と上記暗記カード１２における上記ストライプ模様と平行な一辺部に配置されている。
【実施例１】
【００３０】
図は実施例１に係る下敷き１１を示したものである。
本実施例に係る下敷き１１は、図１に示すように、方形の表面シート部１５と裏面シート部１６とを重ね合わせて、板状に形成されている。
【００３１】
上記表面シート部１５と上記裏面シート部１６は、透明で、やや硬質の、熱可塑性プラスチックを素材として形成され、図１に示すように、上記表面シート部１５と上記裏面シート部１６の三辺部は溶着されることにより閉合されている。
【００３２】
上記表面シート部１５と上記裏面シート部１６の間には、図３に示すように、空隙部２０が形成されている。
また、上記表面シート部１５と上記裏面シート部１６の溶着されていない残りの一辺部には開口部２１が形成されている。
【００３３】
上記表面シート部１５と上記裏面シート部１６の間に形成された上記空隙部２０は、図３に示すように、上記暗記カード１２を挿入して保持するための収納部１３として形成されている。
【００３４】
上記表面シート部１５には、図１に示すように、上記透視部１７と非透視部１８とが設けられている。
【００３５】
上記透視部１７と非透視部１８は、図１に示すように、同幅の帯状に形成され、交互にかつ平行に配置されている。
【００３６】
上記透視部１７は透明な素材のままで、上記非透視部１８には着色が施されている。
従って、上記表面シート部１５には、図１に示すように、上記透明部と上記着色部とにより、２色で色分けされたストライプ模様が形成されている。
上記ストライプ模様は、上記開口部２１と平行に表現されている。
【００３７】
上記表面シート部１５と上記裏面シート部１６の間に形成された上記収納部１３には、上記のように上記暗記カード１２が挿入されて保持されるが、上記暗記カード１２は、紙により、図１に示すように、上記表面シート部１５と上記裏面シート部１６より僅かに小さい方形に形成されている。
【００３８】
上記暗記カード１２は上記収納部１３に保持されているが、固定されてはおらず、移動しうるように保持されている。即ち、上記暗記カード１２は、上記開口部２１に対し垂直方向へ移動させることができ、図４に示すように、上記開口部２１において出し入れすることができる。
【００３９】
上記暗記カード１２を上記開口部２１において出し入れする場合に、上記暗記カード１２の端部を指先で摘持できるように、図１〜図３に示すように、上記裏面シート部１６の端縁部には切欠部２２が設けられている。
【００４０】
上記暗記カード１２は、図１に示すように、上記暗記事項表示部１４と空白部１９とを有している。
【００４１】
上記暗記カード１２における上記暗記事項表示部１４と上記空白部１９は、図１に示すように、平行な帯状に形成され、全体としてストライプ模様を形成するように交互に配置されている。
【００４２】
上記暗記カード１２における上記暗記事項表示部１４と上記空白部１９は、図１に示すように、上記表面シート部１５における上記透視部１７及び上記非透視部１８と同幅を有するように形成されている。
【００４３】
上記暗記事項表示部１４には暗記すべき内容が表示されている。例えば、本実施例では、図１に示すように、漢字の音読みと訓読みが表示されている。なお、上記暗記事項表示部１４に表示する内容は自由であり、本実施例に限定されるものではない。
【００４４】
上記暗記カード１２における上記空白部１９には、図１に示すように、何も表示されていないが、着色が施されている。
【００４５】
上記暗記カード１２は、図４に示すように、上記開口部２１の垂直方向へ移動させることができ、これにより上記暗記事項表示部１４と上記空白部１９の位置を変更することができる。
【００４６】
上記暗記カード１２を移動させて、図４に示すように、上記暗記事項表示部１４を上記表面シート部１５における上記透視部１７に対応して位置させている状態では、上記暗記事項表示部１４に表示された内容を目視することができる。
なお、このとき、上記空白部１９は上記非透視部１８に対応して位置することになる。
【００４７】
また、上記暗記カード１２を移動させて、図２に示すように、上記暗記事項表示部１４を上記非透視部１８に対応して位置させた場合は、上記暗記事項表示部１４に表示された内容は隠蔽され目視することができない。
なお、このとき、上記空白部１９は上記透視部１７に対応して位置することになる。
【００４８】
即ち、上記暗記カード１２は上記収納部１３において移動することにより上記暗記事項表示部１４を隠顕することができる。
【００４９】
以下、上記実施例の作用について説明する。
上記実施例に係る下敷き１１は、図２及び図４に示すように、上記収納部１３に保持された上記暗記カード１２を移動させることにより、上記暗記カード１２の上記暗記事項表示部１４を隠顕することができることから、上記暗記事項表示部１４を隠蔽することにより上記暗記事項表示部１４に表示された内容を暗記することができる。
また、上記暗記事項表示部１４を露呈させて目視することにより暗記した内容が正しいか否かを確認することができる。従って、効果的に暗記することができる。
【００５０】
また、上記収納部１３は、図３に示すように、上記表面シート部１５と裏面シート部１６との間に形成される空隙部２０に設けられ、図１及び図３に示すように、上記暗記カード１２を出し入れ可能な開口部２１が一辺部に形成されていることから、上記収納部１３に収納された上記暗記カード１２は、上記開口部２１において出し入れすることができ、上記開口部２１の垂直方向へ移動させることができる。この暗記カード１２の移動により上記暗記事項表示部１４を円滑に隠顕することができる。
【００５１】
上記表面シート部１５には、図１に示すように、透視部１７と非透視部１８とが設けられているので、上記収納部１３に保持された上記暗記カード１２は、図４に示すように、上記暗記事項表示部１４を上記透視部１７に移動させれば、上記暗記事項表示部１４に表示された内容を目視して容易に確認することができる。
また、図２に示すように、上記暗記事項表示部１４を上記非透視部１８に移動させれば、上記暗記事項表示部１４に表示された内容は隠蔽されて目視できないので、効果的に暗記することができる。
また、このとき、上記暗記カード１２に設けられた上記空白部１９は上記透視部１７に対応して位置することにより、上記表面シート部１５には何も表示されない状態となるので、暗記に集中することができる。
【００５２】
また、図１に示すように、上記表面シート部１５における上記透視部１７と上記非透視部１８は平行な同幅の帯状に形成され、全体としてストライプ模様を形成するように交互に配置されており、又、上記表面シート部１５における上記透視部１７は透明に形成され、上記非透視部１８には着色が施されていることから、上記表面シート部１５に装飾効果が生じて外観の見栄えが良好である。
【００５３】
また、図１に示すように、上記暗記カード１２における上記暗記事項表示部１４と上記空白部１９も、上記表面シート部１５における上記透視部１７及び上記非透視部１８と同幅を有して、平行な帯状に形成され、全体としてストライプ模様を形成するように交互に配置されていることから、上記暗記事項表示部１４を上記透視部１７又は上記非透視部１８に重ね合わせるだけで、上記暗記事項表示部１４を容易に隠顕することができる。
また、上記暗記カード１２における上記空白部１９に着色が施されていることから、上記暗記カード１２にも装飾性が付加され、外観の見栄えが良好になる。
【産業上の利用可能性】
【００５４】
本考案は全ての下敷きに適用可能である。
【図面の簡単な説明】
【００５５】
【図１】実施例に係る下敷きを示すもので、暗記カードが抜き出された状態の斜視図である。
【図２】実施例に係る下敷きを示すもので、暗記カードの暗記事項表示部が非透視部に対応して位置する状態の断面図である。
【図３】図２のＡ−Ａ線における断面図である。
【図４】実施例に係る下敷きを示すもので、暗記カードの暗記事項表示部が透視部に対応して位置する状態の斜視図である。
【符号の説明】
【００５６】
１１  下敷き
１２  暗記カード
１３  収納部
１４  暗記事項表示部
１５  表面シート部
１６  裏面シート部
１７  透視部
１８  非透視部
１９  空白部
２０  空隙部
２１  開口部
２２  切欠部
【図１】
0003112224.tif 000003
【図２】
0003112224.tif 000004
【図３】
0003112224.tif 000005
【図４】
0003112224.tif 000006